(57)【特許請求の範囲】
【請求項１】
点灯装置を収納する本体と、該本体の下面に設置された灯体と、を備え、配線ダクトに取り付けられる構造を有した照明器具であって、
前記本体の上面のうち該本体の長手方向の一端側の面に構成され、前記本体を前記配線ダクトに電気的かつ機械的に接続するプラグ部と、
前記本体の上面のうち該本体の長手方向の他端側の面に構成され、前記本体を前記配線ダクトに機械的に接続する機械的接続部と、
を備え、
前記機械的接続部は、
前記本体の他端側の面に上下動自在に設けられたレバーと、
前記本体の他端側の面と前記レバーとの間に介在し、前記レバーの上下動に伴って上下動する先端のフック爪部をそれぞれ有し、前記フック爪部が外方を向く２つのフックと、を有し、
２つの前記フックは、
前記レバーの下降に伴って、前記フック爪部が下降して前記フック爪部同士が近付き、前記レバーの上昇に伴って、前記フック爪部が上昇して前記フック爪部同士が離れるものであり、
前記本体は、
前記フック爪部同士が、前記配線ダクトに形成された第１開口部の周縁部に引っ掛かることによって、前記配線ダクトに接続される
ことを特徴とする照明器具。
【請求項２】
前記機械的接続部は、前記配線ダクトの長手方向の幅が、該長手方向に対する垂直方向の幅よりも小さくなるように形成された前記第１開口部に挿入されることによって、前記本体を前記配線ダクトに接続する
ことを特徴とする請求項１記載の照明器具。
【請求項３】
前記２つのフック爪部が、前記レバーの下降に伴って下降して近付いたとき、前記機械的接続部が前記第１開口部に挿入可能となり、
前記機械的接続部が前記第１開口部に挿入された状態において、前記２つのフック爪部が、前記レバーの上昇に伴って上昇して離れたとき、対向する前記周縁部にそれぞれ引っ掛かることによって、前記本体が前記配線ダクトに接続される
ことを特徴とする請求項１又は請求項２記載の照明器具。
【請求項４】
前記２つのフックは、前記第１開口部において、前記配線ダクトの長手方向と平行となる前記周縁部にそれぞれ引っ掛かる
ことを特徴とする請求項１〜請求項３のいずれか一項に記載の照明器具。
【請求項５】
前記機械的接続部は、前記２つのフックが前記開いた状態に保持するように前記レバーを付勢するバネを有した
ことを特徴とする請求項１〜請求項４のいずれか一項に記載の照明器具。
【請求項６】
前記プラグ部は、前記配線ダクトに形成された第２開口部に挿入されることによって前記本体を前記配線ダクトに接続する
ことを特徴とする請求項１〜請求項５のいずれか一項に記載の照明器具。
【発明の詳細な説明】
【技術分野】
【０００１】
本発明は、照明器具に関し、特に、配線ダクトに照明器具を取り付けるための取付構造に関する。
【背景技術】
【０００２】
配線ダクト取付型の照明器具は、一般的に、電気的かつ機械的に配線ダクトに接続するプラグ部と、機械的に配線ダクトに接続する接続部を有している。機械的に接続する接続部は、金属製又は樹脂製等で形成されるが、照明器具を接続部によって配線ダクトに接続した場合、その接続部が配線ダクト内の通電部の近傍に位置するため、感電等の安全性の観点から接続部を樹脂性で形成することが望ましい。また、従来の配線ダクト取付型の照明器具として、配線ダクトから照明器具を取り外す際に、プラグ部を配線ダクトへの固定状態から離脱した状態で、接続部を中心に器具全体を回転させて照明器具を配線ダクトから取り外す照明器具がある（例えば、特許文献１参照）。
【先行技術文献】
【特許文献】
【０００３】
【特許文献１】特許第４０６６６１８号公報（第４−６頁、図１−２）
【発明の概要】
【発明が解決しようとする課題】
【０００４】
しかしながら、特許文献１に記載された照明器具は、配線ダクトから照明器具を取り外す際に、プラグ部を配線ダクトへの固定状態から離脱した状態で解除した状態で、接続部を中心に器具全体を回転させて配線ダクトから取り外すものであるが、プラグ部がポリカーボネート等の樹脂で形成されていて、そのプラグ部が破損した場合、照明器具が外的要因によって回転してしまうと、照明器具が配線ダクトから落下してしまうという問題点があった。
【０００５】
本発明は、上記のような課題を解決するためになされたものであり、照明器具を配線ダクトに固定した状態で、プラグ部が破損した場合においても、照明器具が落下しない取付構造を有した照明器具を提供することを目的とする。
【課題を解決するための手段】
【０００６】
本発明に係る照明器具は、点灯装置を収納する本体と、該本体の下面に設置された灯体と、を備え、配線ダクトに取り付けられる構造を有した照明器具であって、本体の上面のうち該本体の長手方向の一端側の面に構成され、本体を配線ダクトに電気的かつ機械的に接続するプラグ部と、本体の上面のうち該本体の長手方向の他端側の面に構成され、本体を配線ダクトに機械的に接続する機械的接続部と、を備え、機械的接続部は、本体の他端側の面に上下動自在に設けられたレバーと、本体の他端側の面とレバーとの間に介在し、レバーの上下動に伴って上下動する先端のフック爪部をそれぞれ有し、フック爪部が外方を向く２つのフックと、を有し、２つのフックは、レバーの下降に伴って、フック爪部が下降してフック爪部同士が近付き、レバーの上昇に伴って、フック爪部が上昇してフック爪部同士が離れるものであり、本体は、フック爪部同士が、配線ダクトに形成された第１開口部の周縁部に引っ掛かることによって、配線ダクトに接続されるものである。
【発明の効果】
【０００７】
本発明によれば、プラグ部による接続状態が解除されたとしても、機械的接続部の部分を中心として本体が回転することもなく、照明器具は機械的接続部によって独立かつ機械的に配線ダクトに接続されるので、照明器具の落下を防止することができる。
【図面の簡単な説明】
【０００８】
【図１】本発明の実施の形態１に係る照明器具１の全体斜視図である。
【図２】本発明の実施の形態１に係る照明器具１の下面図である。
【図３】本発明の実施の形態１に係る照明器具１における機械的接続部８の構造を説明する図である。
【図４】本発明の実施の形態１に係る照明器具１の配線ダクト１０１への取付構造を説明する図である。
【発明を実施するための形態】
【０００９】
実施の形態１．
（照明器具１の構造）
図１は、本発明の実施の形態１に係る照明器具１の全体斜視図であり、図２は、同照明器具１の下面図である。
図１及び図２で示されるように、本実施の形態に係る照明器具１は、点灯装置（図示せず）を収納した直方体形状の本体２と、この本体２の下面に設置された光源３ａを有する灯体３と、本体２の上面のうち長手方向の一端側の面に構成され、照明器具１を配線ダクト１０１（図４において後述）に電気的かつ機械的に接続するためのプラグ部４と、本体２の長手方向の他端側に構成され、照明器具１を配線ダクト１０１に機械的に接続するための機械的接続部８と、を備えた配線ダクト取付型の照明器具である。
【００１０】
本体２は、アルミダイキャスト製、又は、ポリカーボネート等の樹脂で形成されており、その内部には灯体３の光源３ａを点灯させるための点灯装置が収納されている。
なお、上記の本体２の材質は、例示であって、これらに限定されるものではない。
【００１１】
灯体３は、本体２の下面に設置され、図２で示されるように、ＬＥＤである光源３ａを備えたものである。この灯体３は、本体２が配線ダクト１０１に取り付けられた場合、下方に向けて光を照射する。
なお、光源３ａはＬＥＤであるものとしたが、これに限定されるものではなく、電球又は蛍光灯等のその他の光源であってもよい。
また、灯体３は、本体２が配線ダクト１０１に取り付けられた場合、下方に向けて光を照射するものとしたが、これに限定されるものではなく、灯体３の形状又は光源３ａの設置態様によって、その他の方向に照射するものとしてもよい。
【００１２】
プラグ部４は、本体２の上面のうち長手方向の一端側の面に構成され、照明器具１を配線ダクト１０１に電気的かつ機械的に接続し、かつ、配線ダクト１０１内に配設された通電部１０１ｄ（図４において後述）から本体２内の点灯装置への通電を担うものである。このプラグ部４は、図１で示されるように、上記のように通電部１０１ｄから点灯装置へ通電させるための一対の電極４ａと、照明器具１を配線ダクト１０１に機械的に固定させるための略長方形形状のダクト固定部４ｂと、図１で示される矢印の方向に回転操作されることによって、電極４ａ及びダクト固定部４ｂを回転させ、プラグ部４を配線ダクト１０１に電気的かつ機械的に接続させ、又は、離脱させるためのレバー４ｃと、を備えている。
【００１３】
機械的接続部８は、本体２の長手方向の他端側に構成され、照明器具１を配線ダクト１０１に機械的に接続するためのものである。この機械的接続部８は、機械的接続部８を配線ダクト１０１に機械的に接続させ、又は、離脱させるための板状レバー５等を備えている。この板状レバー５は、ＰＢＴ（Ｐｏｌｙｂｕｔｙｌｅｎｅ  Ｔｅｒｅｐｈｔｈａｌａｔｅ）又はポリカーボネート等の樹脂で形成されており、本体２の長手方向の他端側の端面（以下、「機械的接続部側端面」という）に対して平行になるように設置され、板状レバー５の下部に形成された板状レバー操作部５ｂを操作することによって、上下方向に可動となっている。また、板状レバー５の上部には、板状レバー５を上方向に移動させた場合に、配線ダクト１０１内の板状レバー係止部１０１ｃ（図４において後述）に係止させるためにダクト内当接部５ａが延設され形成されている。この機械的接続部８の構成については、図３において詳述する。
【００１４】
（機械的接続部８の構造）
図３は、本発明の実施の形態１に係る照明器具１における機械的接続部８の構造を説明する図である。
前述したように、板状レバー５が設置される機械的接続部側端面において、その上側の端面視左端付近に丸穴２ａが開口して形成され、端面視右端付近に丸穴２ｂがそれぞれ開口して形成されている。また、機械的接続部側端面の下側の中央部には角穴２ｃが開口して形成されている。
【００１５】
また、機械的接続部８は、上記の丸穴２ａに対して本体２の長手方向に挿入する軸６３ａが突設された板状のフック６ａ、及び、丸穴２ｂに対して本体２の長手方向に挿入する軸６３ｂが突設された板状のフック６ｂを備えている。このフック６ａ、６ｂは、ＰＢＴ又はポリカーボネート等の樹脂で形成されており、それぞれの軸６３ａ、６３ｂがそれぞれ丸穴２ａ、２ｂに挿入されることによって、板状のフック６ａ、６ｂの板面が、機械的接続部端面と略平行となる。このフック６ａ、６ｂは、それぞれの下部には、長穴６２ａ、６２ｂが形成されており、それぞれの上部には、爪形状のフック爪部６１ａ、６１ｂが形成されている。フック６ａ、６ｂが、軸６３ａ、６３ｂがそれぞれ丸穴２ａ、２ｂに挿入され機械的接続部側端面に取り付けられた場合、フック６ａのフック爪部６１ａは、その先端方向が機械的接続部側端面の端面視右方向に向くように形成され、フック６ｂのフック爪部６１ｂは、その先端方向が機械的接続部端面の端面視左方向に向くように形成されている。また、フック６ａ、６ｂが、軸６３ａ、６３ｂがそれぞれ丸穴２ａ、２ｂに挿入され機械的接続部側端面に取り付けられた場合、長穴６２ａ、６２ｂは、機械的接続部側端面の端面視において、それぞれの穴の少なくとも一部が重なるように構成されている。
【００１６】
また、機械的接続部８が備える前述の板状レバー５は、機械的接続部側端面に設置される場合の設置面における水平方向の略中央部に突設されたフック操作軸５ｃを有している。また、板状レバー５は、当該設置面において、突設されたフック操作軸５ｃの下側に嵌合爪５ｄが立設されてる。また、この嵌合爪５ｄの下面には、下方向に向かってバネ固定軸５ｅが突設されており、バネ７がこのバネ固定軸５ｅによって挿入される。
【００１７】
最後に、機械的接続部８を構成する板状レバー５及びフック６ａ、６ｂの取り付け手順について説明する。
まず、フック６ｂの軸６３ｂを丸穴２ｂに挿入することによって、フック６ｂを機械的接続部側端面に取り付ける。次に、フック６ａの軸６３ａを丸穴２ａに挿入することによって、フック６ａを機械的接続部側端面に取り付ける。この状態において、前述のように、機械的接続部側端面の端面視において、フック６ａ、６ｂの長穴６２ａ、６２ｂの少なくとも一部が重なる。そして、板状レバー５のフック操作軸５ｃを、上記の長穴６２ａ、６２ｂの重なった部分に挿入すると共に、バネ７にバネ固定軸５ｅを挿入させた状態で、バネ７と共に嵌合爪５ｄを機械的接続部側端面に形成された角穴２ｃに嵌入させることによって、板状レバー５が機械的接続部側端面に固定される。ここで、角穴２ｃの上下方向の幅は、嵌合爪５ｄの上下方向の幅よりも大きく形成されており、これによって、板状レバー操作部５ｂを操作することにより板状レバー５が上下方向に可動となっている。さらに、嵌合爪５ｄの下面に突設されたバネ固定軸５ｅにバネ７が取り付けられているので、このバネ７による弾性力によって嵌合爪５ｄが上方向に押し上げられる力が作用し、板状レバー５が常に上方向に付勢されることになる。
【００１８】
（照明器具１の配線ダクト１０１への取り付け手順）
図４は、本発明の実施の形態１に係る照明器具１の配線ダクト１０１への取付構造を説明する図である。以下、図１及び図４を参照しながら、照明器具１を配線ダクト１０１に取り付ける手順について説明する。
【００１９】
まず、図４（ａ）を参照しながら、配線ダクト１０１の構造について説明する。
図４で示されるように、配線ダクト１０１は、その下面板に、照明器具１を機械的接続部８によって機械的に接続するためのダクト開口部１０１ａが形成されており、また、照明器具１をプラグ部４によって電気的かつ機械的に接続するための開口部（図示せず）が形成されている。このプラグ部４用の開口部は、ダクト固定部４ｂの上面の形状と略同形状又はやや大きく形成されており、配線ダクト１０１の長手方向の幅が、その長手方向に対する垂直方向の幅よりも大きくなるように形成されている。また、ダクト開口部１０１ａは、配線ダクト１０１の長手方向の幅が、その長手方向に対する垂直方向の幅よりも小さくなるように形成されている。そして、このダクト開口部１０１ａにおける配線ダクト１０１の長手方向の幅は、ダクト内当接部５ａのその平面視における板状レバー５の板面に対する垂直方向の幅と、フック６ａの板厚と、フック６ｂの板厚との和と略同一又はやや大きくなるように形成されている。また、ダクト開口部１０１ａにおける配線ダクト１０１の長手方向に対する垂直方向の幅は、ダクト内当接部５ａのその平面視における板状レバー５の板面方向の幅と略同一又はやや大きくなるように形成されている。また、配線ダクト１０１の下面板のうち、ダクト開口部１０１ａの周辺部分をダクト開口周縁部１０１ｂというものとする。また、配線ダクト１０１の内部には、照明器具１を機械的接続部８によって接続する際に、板状レバー５のダクト内当接部５ａの上面を係止する板状レバー係止部１０１ｃが形成されている。また、配線ダクト１０１の内部には、照明器具１をプラグ部４によって電気的かつ機械的に接続した場合に、プラグ部４の電極４ａを介して、本体２に収納された点灯装置に通電させる通電部１０１ｄが配線ダクト１０１の長手方向に配設されている。
【００２０】
なお、ダクト開口部１０１ａ、及び、プラグ部４用の開口部は、それぞれ本発明の「第１開口部」及び「第２開口部」に相当する。
【００２１】
次に、照明器具１を配線ダクト１０１に取り付ける手順について説明する。
まず、図１で示されるように、作業者は、プラグ部４におけるレバー４ｃを本体２の長手方向に対して垂直方向となるように、矢印の方向に沿って回転操作させる。これによって、図１で示されるように、ダクト固定部４ｂの長手方向は、本体２の長手方向と平行になる。また、これによって、配線ダクト１０１の長手方向と本体２の長手方向とが平行になるように照明器具１を配線ダクト１０１に取り付ける場合に、プラグ部４のダクト固定部４ｂが、プラグ部４用の開口部に挿入可能の状態となる。
【００２２】
次に、作業者は、機械的接続部８において、バネ７によって上方に付勢されている板状レバー５の板状レバー操作部５ｂを下方に押し下げて保持する。これによって、図４（ａ）で示されるように、フック操作軸５ｃによって、フック６ａ、６ｂの長穴６２ａ、６２ｂの部分がそれぞれ下方に押し下げられ、フック６ａ、６ｂは、それぞれ軸６３ａ、６３ｂを中心に回転する。このとき、フック６ａは、機械的接続部側端面の端面視において左回転し、フック６ｂは、当該端面視において右回転する。すなわち、図４（ａ）で示されるように、フック爪部６１ａ、６１ｂがそれぞれ近接した状態（以下、この状態を「フック６ａ、６ｂが閉じた状態」という）となり、機械的接続部側端面の端面視において、フック爪部６１ａ、６１ｂが、ダクト内当接部５ａの投影面内に収まる状態となる。これによって、配線ダクト１０１の長手方向と本体２の長手方向とが平行になるように照明器具１を配線ダクト１０１に取り付ける場合に、機械的接続部８のダクト内当接部５ａ及びフック爪部６１ａ、６１ｂが、ダクト開口部１０１ａに挿入可能の状態となる。
【００２３】
以上のような、プラグ部４及び機械的接続部８の状態において、作業者は、本体２の長手方向が配線ダクト１０１の長手方向と平行となるような状態で、プラグ部４のダクト固定部４ｂが、プラグ部４用の開口部に挿入されるように、かつ、機械的接続部８のダクト内当接部５ａ及びフック爪部６１ａ、６１ｂがダクト開口部１０１ａに挿入されるように、照明器具１を配線ダクト１０１の下面に取り付ける（図４（ａ）で示される矢印方向）。このとき、板状レバー５はバネ７によって上方に付勢される力が作用しているので、作業者は、板状レバー操作部５ｂを下方に押し下げた状態を保持して作業する必要がある。そして、ダクト固定部４ｂはプラグ部４用の開口部に挿入され、ダクト内当接部５ａ及びフック爪部６１ａ、６１ｂはダクト開口部１０１ａに挿入され、本体２は配線ダクト１０１の下面に当接し、図４（ｂ）で示される状態となる。
【００２４】
次に、作業者は、下方に押し下げた状態を保持している板状レバー操作部５ｂを、図４（ｃ）で示されるように、上方に移動操作し、板状レバー５を上方に移動させる。ここで、板状レバー５はバネ７によって上方に付勢される力が作用しているので、作業者は、板状レバー操作部５ｂから手を解放するのみでもよい。バネ７の上方への弾性力によって、板状レバー５は上方に移動するからである。これによって、板状レバー５のダクト内当接部５ａは、配線ダクト１０１内を上方に移動し、板状レバー係止部１０１ｃに当接して係止される。また、図４（ｃ）で示されるように、板状レバー５が上方に移動することによって、フック操作軸５ｃによって、フック６ａ、６ｂの長穴６２ａ、６２ｂの部分がそれぞれ上方に押し上げられ、フック６ａ、６ｂは、それぞれ軸６３ａ、６３ｂを中心に回転する。このとき、フック６ａは、機械的接続部側端面の端面視において右回転し、フック６ｂは、当該端面視において左回転する。すなわち、図４（ｃ）で示されるように、フック６ａ、６ｂが閉じた状態から、互いに離れた状態（以下、この状態を「フック６ａ、６ｂが開いた状態」という）となり、フック爪部６１ａ、６１ｂがダクト開口周縁部１０１ｂに引っ掛かる状態となる。ここで、前述のように、板状レバー５はバネ７によって上方に付勢される力が作用しているので、上記のフック６ａ、６ｂが開いた状態は、バネ７の弾性力によって保持されることになる。以上のような態様によって、照明器具１は機械的接続部８によって機械的に配線ダクト１０１に接続かつ固定された状態となる。
【００２５】
次に、作業者は、プラグ部４におけるレバー４ｃを、本体２の長手方向に対して垂直方向になっている状態から、図１で示される矢印の方向に沿って回転操作させ、本体２の長手方向と平行となるようにする。これによって、ダクト固定部４ｂの長手方向は、本体２の長手方向に対して垂直方向となり、ダクト固定部４ｂの下面が、プラグ部４用の開口部周縁の配線ダクト１０１の下面板の上面と当接することになる。それと同時に、一対の電極４ａが、配線ダクト１０１内の通電部１０１ｄと接触し、この通電部１０１ｄから電極４ａを介して、本体２内の点灯装置へ通電されることになる。以上のような態様によって、照明器具１はプラグ部４によって機械的に配線ダクト１０１に接続かつ固定され、電気的に接続された状態となる。
【００２６】
なお、以上のようなプラグ部４による電気的かつ機械的な接続態様は一例であって、プラグ部４によって、本体２の点灯装置と、通電部１０１ｄとを電気的に接続し、かつ、照明器具１を機械的に接続可能な構造であれば、他の構造でもよい。
【００２７】
（照明器具１の配線ダクト１０１への取り外し手順）
次に、図１及び図４を参照しながら、照明器具１を配線ダクト１０１から取り外す手順について説明する。
【００２８】
まず、作業者は、図１で示されるプラグ部４におけるレバー４ｃを、本体２の長手方向と平行になっている状態から、矢印の方向に沿って回転操作させ、本体２の長手方向に対して垂直方向となるようにする。これによって、ダクト固定部４ｂの長手方向は、本体２の長手方向と平行になるので、プラグ部４のダクト固定部４ｂが、プラグ部４用の開口部から取り外し可能な状態となる。また、これによって、一対の電極４ａが、配線ダクト１０１内の通電部１０１ｄと接触している状態から離脱された状態となり、通電部１０１ｄから本体２内の点灯装置への通電が遮断された状態となる。
【００２９】
次に、作業者は、機械的接続部８において、バネ７によって上方に付勢されている板状レバー５の板状レバー操作部５ｂを下方に押し下げて保持する。これによって、図４（ｃ）で示されるようなフック６ａ、６ｂが開いた状態から、図４（ｂ）で示されるようなフック６ａ、６ｂが閉じた状態となり、機械的接続部側端面の端面視において、フック爪部６１ａ、６１ｂが、ダクト内当接部５ａの投影面内に収まる状態となる。これによって、機械的接続部８のダクト内当接部５ａ及びフック爪部６１ａ、６１ｂが、ダクト開口部１０１ａから取り外し可能な状態となる。
【００３０】
以上のような、プラグ部４及び機械的接続部８の状態において、作業者は、照明器具１を下方に引いて配線ダクト１０１から取り外すことができる。このとき、板状レバー５はバネ７によって上方に付勢される力が作用しているので、作業者は、板状レバー操作部５ｂを下方に押し下げた状態を保持して作業する必要がある。
【００３１】
以上のように、機械的接続部８による照明器具１の配線ダクト１０１への機械的接続は、プラグ部４による照明器具１の配線ダクト１０１への接続とは独立したものであり、プラグ部４のレバー４ｃの操作によって、プラグ部４の接続状態が解除されたとしても、機械的接続部８において接続状態を解除する操作がなされない限り、照明器具１の配線ダクト１０１への接続状態を維持することが可能となる。
【００３２】
なお、前述したように、照明器具１を配線ダクト１０１に取り付ける場合、及び、取り外す場合においては、プラグ部４のレバー４ｃの方向を、本体２の長手方向に対して垂直方向となるようにし、照明器具１をプラグ部４によって配線ダクト１０１に接続する場合においては、レバー４ｃの方向を、本体２の長手方向となるようにしているが、これに限定されるものではない。すなわち、前述で示した各場合におけるレバー４ｃの方向は一例であり、前述のようにダクト固定部４ｂの長手方向の向きを操作することが可能であれば、レバー４ｃの方向はどのように構成されていてもよい。
【００３３】
（実施の形態１の効果）
以上の構造のように、配線ダクト１０１のダクト開口部１０１ａが配線ダクト１０１の長手方向の幅が、その長手方向に対する垂直方向の幅よりも小さくなるように形成されており、かつ、照明器具１を機械的接続部８によってこのダクト開口部１０１ａにおいて接続させる場合、ダクト内当接部５ａは、板状レバー係止部１０１ｃに当接して係止され、フック６ａ、６ｂが開いた状態でフック爪部６１ａ、６１ｂがダクト開口周縁部１０１ｂに引っ掛かる状態となるので、レバー４ｃによる操作又はプラグ部４が破損等して、プラグ部４による接続状態が解除されたとしても、機械的接続部８の部分を中心として本体２が回転することもなく、上記のような態様によって照明器具１は機械的接続部８によって独立かつ機械的に配線ダクト１０１に接続かつ固定されるので、照明器具１の落下を防止することができる。
【００３４】
また、機械的接続部８による照明器具１の配線ダクト１０１への機械的接続は、プラグ部４による照明器具１の配線ダクト１０１への接続とは独立したものであり、プラグ部４のレバー４ｃの操作によって、プラグ部４の接続状態が解除されたとしても、機械的接続部８において接続状態を解除する操作がなされない限り、照明器具１の配線ダクト１０１への接続状態を維持することが可能となる。
【００３５】
また、板状レバー５はバネ７によって上方に付勢される力が作用しているので、フック６ａ、６ｂが開いた状態でフック爪部６１ａ、６１ｂがダクト開口周縁部１０１ｂに引っ掛かる状態が、バネ７の弾性力によって保持されることになるので、照明器具１の落下防止の確実性をより高めることができる。
【符号の説明】
【００３６】
１  照明器具、２  本体、２ａ、２ｂ  丸穴、２ｃ  角穴、３  灯体、３ａ  光源、４  プラグ部、４ａ  電極、４ｂ  ダクト固定部、４ｃ  レバー、５  板状レバー、５ａ  ダクト内当接部、５ｂ  板状レバー操作部、５ｃ  フック操作軸、５ｄ  嵌合爪、５ｅ  バネ固定軸、６ａ、６ｂ  フック、７  バネ、８  機械的接続部、６１ａ、６１ｂ  フック爪部、６２ａ、６２ｂ  長穴、６３ａ、６３ｂ  軸、１０１  配線ダクト、１０１ａ  ダクト開口部、１０１ｂ  ダクト開口周縁部、１０１ｃ  板状レバー係止部、１０１ｄ  通電部。
【図１】
0005963485.tif 000002
【図２】
0005963485.tif 000003
【図３】
0005963485.tif 000004
【図４】
0005963485.tif 000005